(57)【要約】      （修正有）【課題】  アイアンクラブセットの性能の連続性を全体として大きくするようにセットの中の個々のクラブを設計する。【解決手段】  アイアンクラブのセットは、キャビティバック構造のロングアイアンおよびマッスルバック構造のショートアイアンを含む。背面フェースの構造が、純粋なキャビティバックからキャビティ・マッスルバックを介して純粋なマッスルバックへと、緩やかに移行して、セットの性能の連続性を増大させる。セットの付加的な設計パラメータ、例えば、フェース面積、ロフト角、オフセットおよび重心位置がセットを通じて系統的に変化させてもよい。【選択図】図２
2006289105.tif 000002
【特許請求の範囲】
【請求項１】
少なくとも１本のキャビティバッククラブと、
少なくとも１本のマッスルバッククラブとを有し、
クラブが鍛造ステンレス綱から製造され、かつ、少なくとも１つのクラブ設計パラメータがセットを通じて系統的に変化することを特徴とするアイアン型ゴルフクラブのセット。
【請求項２】
少なくとも１本の中間クラブを有し、中間クラブのヘッドは、当該中間クラブのヘッドの背面フェースに設けられたキャビティと、上記キャビティからトウの周辺へ伸びる隆線とを有する請求項１記載のクラブのセット。
【請求項３】
上記クラブは、当該セット中のロングアイアンのキャビティバッククラブから上記セット中のショートアイアンのマッスルバッククラブへと系統的に移行する請求項１記載のクラブのセット。
【請求項４】
上記クラブ設計パラメータはロフト角に応じて変化する請求項２記載のクラブのセット。
【請求項５】
上記クラブ設計パラメータは、オフセット、フェース面積、トップライン幅、ソール幅、地面からの重心、重心の深さ、反発係数、クラブヘッド材料、クラブヘッドフェース厚さ、溝形状、キャビティ容積、打撃フェースの重心を通る水平軸周りのクラブヘッドの水平慣性モーメント、打撃フェースの重心を通る垂直軸周りのクラブヘッドの垂直慣性モーメント、およびシャフト軸周りのクラブヘッドのシャフト慣性モーメントからなるグループから選択される請求項１記載のクラブのセット。
【請求項６】
少なくとも３本のクラブを有し、各クラブのオフセット（Ｏ）が
Ｏ＝α×０．２３２７×ｅ−０．０２３６ＬＡ
に従い、ＬＡは度で表示されたロフト角であり、αは約０．８９から約１．１１の範囲である請求項１記載のアイアン型ゴルフクラブのセット。
【請求項７】
αは約１である請求項６記載のクラブのセット。
【請求項８】
少なくとも３本のクラブを有し、各クラブのオフセット（Ｏ）が
Ｏ＝α×（−０．００２５×ＬＡ＋０．２）
に従い、ＬＡは度で表示されたロフト角であり、αは約０．８９から約１．１１の範囲である請求項１記載のアイアン型ゴルフクラブのセット。
【請求項９】
αは約１である請求項８記載のクラブのセット。
【請求項１０】
少なくとも３本のクラブを有し、各クラブのフェース面積（ＦＡ）が
ＦＡ＝α×（０．１×ＬＡ＋４．７１）
に従い、ＬＡは度で表示されたロフト角であり、αは約０．８から約１．２の範囲である請求項１記載のアイアン型ゴルフクラブのセット。
【請求項１１】
αは約１である請求項１０記載のクラブのセット。
【請求項１２】
少なくとも３本のクラブを有し、クラブヘッドをアドレス位置に配置したときに地面から測定されたクラブヘッドの中心（ＣＧｙ）が
ＣＧｙ＝α×（０．５×ＬＡ＋１６．１４）
に従い、ＬＡは度で表示されたロフト角であり、αは約０．８から約１．２の範囲である請求項１記載のアイアン型ゴルフクラブのセット。
【請求項１３】
αは約１である請求項１２記載のクラブのセット。
【請求項１４】
少なくとも３本のクラブを有し、クラブのトップライン幅（ＴＬＷ）が
ＴＬＷ＝α×（−０．００２３×ＬＡｄｅｇ＋０．３）
に従い、ＬＡは度で表示されたロフト角であり、αは約０．７５から約１．２５の範囲である請求項１記載のアイアン型ゴルフクラブのセット。
【請求項１５】
αは約１である請求項１４記載のクラブのセット。
【請求項１６】
少なくとも３本のクラブを有し、クラブヘッドソール幅（ＳＷ）が
ＳＷ＝α×（−０．００４４×ＬＡ＋０．７９）
に従い、ＬＡは度で表示されたロフト角であり、αは約０．７５から約１．２５の範囲である請求項１記載のアイアン型ゴルフクラブのセット。
【請求項１７】
αは約１である請求項１６記載のクラブのセット。
【請求項１８】
少なくとも３本のクラブを有し、クラブヘッドのキャビティの容積（ＣＶ）が
ＣＶ＝α×（−０．２９×ＬＡ＋１３．８５）
に従い、ＬＡは度で表示されたロフト角であり、αは約０．７５から約１．２５の範囲である請求項１記載のアイアン型ゴルフクラブのセット。
【請求項１９】
αは約１である請求項１８記載のクラブのセット。
【請求項２０】
少なくとも３本のクラブを有し、クラブヘッド打撃フェースの重心を通る水平軸の回りのクラブヘッドの慣性モーメントが
Ｉｘｘ＝α×（０．７５×ＬＡ＋２９．５６）
に従い、ＬＡは度で表示されたロフト角であり、αは約０．８から約１．２の範囲である請求項１記載のアイアン型ゴルフクラブのセット。
【請求項２１】
αは約１である請求項２０記載のクラブのセット。
【請求項２２】
少なくとも３本のクラブを有し、クラブヘッド打撃フェースの重心を通る垂直軸の回りのクラブヘッドの慣性モーメントが
Ｉｙｙ＝α×（０．９×ＬＡｄｅｇ＋１９０．４８）
に従い、ＬＡは度で表示されたロフト角であり、αは約０．８から約１．２の範囲である請求項１記載のアイアン型ゴルフクラブのセット。
【請求項２３】
αは約１である請求項２２記載のクラブのセット。
【請求項２４】
少なくとも３本のクラブを有し、シャフト軸の回りのクラブヘッドの慣性モーメントが
Ｉｓａ＝α×（３．８７×ＬＡ＋３８３．８８）
に従い、ＬＡは度で表示されたロフト角であり、αは約０．８から約１．２の範囲である請求項１記載のアイアン型ゴルフクラブのセット。
【請求項２５】
αは約１である請求項２４記載のクラブのセット。
【発明の詳細な説明】
【技術分野】
【０００１】
この発明は一般にはゴルフクラブに関し、より具体的には、アイアン型クラブのセットの関する。
【背景技術】
【０００２】
セット中の個々のクラブヘッドは、典型的には、クラブがロングアイアンからショートアイアンおよびウェッジに進むに従って、そのフェース表面面積および重量を増大させる。そのため、ロングアイアンのクラブヘッドのフェース表面面積はショートアイアンよりも狭く、平均的なゴルファーが首尾一貫して上手に打撃するのはより難しくなる。通常のクラブヘッドについては、これは、フェース表面面積が小さくなればなるほど、そのスイートスポットが小さくなることに、少なくとも部分的に起因する。
【０００３】
平均的なゴルファーが首尾一貫して上手にスイートスポットを打撃できるようにするために、周辺重みを増大させたキャビティバック構造の多くのゴルフクラブを入手できる。また周辺を重み付けすることによりクラブヘッドのその重心回りの回転モーメントが大きくなる。回転モーメントが大きなクラブヘッドでは、その分、中心から外れた打撃に起因する回転の程度が小さくなる。他の最近の製品傾向は、クラブヘッドの全体サイズを大きくすることであり、これは、とくにロングアイアンで顕著である。これらの特徴の各々によりスイートスポットのサイズが大きくなり、この結果、若干中心からずれた打撃もスイートスポットに当たり、遠くかつまっすぐに飛ぶことになる。クラブヘッドのサイズを最大化するときにゴルフクラブ設計者が試みることの１つは、ゴルフクラブの所望の有益な全体重量を維持することである。例えば、３番アイアンのクラブヘッドのサイズや重量が大きくなると平均的なゴルファーは正しくスイングすることがかなり困難になる。
【０００４】
一般に、スイートスポットを大きくするために、これらクラブの重心はクラブヘッドの底およびバックの方に移動させられる。これにより、平均的なゴルファーはボールをより速く空中へ放出してより遠くへ打つことができる。さらに、クラブヘッドの慣性モーメントを大きくすることにより、中心からはずれた打撃に関連する距離および精度のペナルティを最小化できる。クラブヘッドの全体重量を増大させることなく重みを下方および後方に移動するために、材料および重量がクラブヘッドの１つの領域から他の領域に移動させられる。１つの解決手法は、クラブのフェースから材料を取り、薄いクラブフェースを作り出すことであった。このタイプの処理の例は特許文献１、特許文献２、および特許文献３に見いだすことができる。
【０００５】
しかしながら、アイアンセットについては、一般に、ロングアイアンに要求される性能特性がショートアイアンのそれと異なっている。例えば、ロングアイアンは、プロゴルファーでも、正確に打つことはより難しく、この結果、ロングアイアンはより大きなスイートスポットを持つことが好ましい。同様に、ショートアイアンは比較的正確に打つことができ、スイートスポットの大きさはさほど重要でない。ただし、ショートアイアンの作業性はより重要である。
【０００６】
現在、全体としてのゲーム結果を最良のものにするために、ゴルファーはクラブを一本一本買わなければならず、セットを通じてのプレイの差分が大きくなりすぎて好ましくない。したがって、当業界において、セットの性能の連続性を全体として大きくするようにセット中の個々のクラブを設計するクラブセットに対する要望がある。
【特許文献１】米国特許第４９２８９７２号
【特許文献２】米国特許第５９６７９０３号
【特許文献３】米国特許第６０４５４５６号
【発明の開示】
【０００７】
したがって、この発明は、少なくとも１本のキャビティバッククラブと少なくとも１本のマッスルバッククラブとを有し、クラブが鍛造ステンレス綱から製造されるアイアン型ゴルフクラブのセットに向けられている。
【０００８】
この発明の他の側面は、少なくとも３本のクラブを含み、各クラブのオフセット（Ｏ）が
Ｏ＝α×（−０．００２５×ＬＡ＋０．２）
に従うアイアン型ゴルフクラブのセットに向けられている。ただし、ＬＡは「度」で測定されたロフト角であり、αは約０．８９から約１．１１である。
【０００９】
この発明の一側面においては、αは決定係数および／または設計許容誤差を決定するファクタである。
【００１０】
この発明の他の側面は、少なくとも３本のクラブを含み、各クラブのクラブヘッドフェース面積（ＦＡ）が
ＦＡ＝α×（０．１×ＬＡ＋４．７１）
に従うアイアン型ゴルフクラブのセットに向けられている。ただし、ＬＡは「度」で測定されたロフト角であり、αは約０．９８から約１．０２である。
【００１１】
この発明の他の側面は、少なくとも３本のクラブを含み、地面に対するクラブヘッドの重心（ＣＧｙ）が
ＣＧｙ＝α×（０．５×ＬＡ＋１６．１４）
に従うアイアン型ゴルフクラブのセットに向けられている。ただし、ＬＡは「度」で測定されたロフト角であり、αは約０．８から約１．２である。
【００１２】
この発明の他の側面は、少なくとも３本のクラブを含み、クラブヘッドのトップライン幅（ＴＬＷ）が
ＴＬＷ＝α×（−０．００２３×ＬＡ＋０．３）
に従うアイアン型ゴルフクラブのセットに向けられている。ただし、ＬＡは「度」で測定されたロフト角であり、αは約０．７５から約１．２５である。
【００１３】
この発明の他の側面は、少なくとも３本のクラブを含み、クラブヘッドソール幅（ＳＷ）が
ＳＷ＝α×（−０．００４４×ＬＡ＋０．７９）
に従うアイアン型ゴルフクラブのセットに向けられている。ただし、ＬＡは「度」で測定されたロフト角であり、αは約０．７５から約１．２５である。
【００１４】
この発明の他の側面は、少なくとも３本のクラブを含み、クラブヘッドのキャビティの容積（ＣＶ）が
ＣＶ＝α×（−０．２９×ＬＡ＋１３．８５）
に従うアイアン型ゴルフクラブのセットに向けられている。ただし、ＬＡは「度」で測定されたロフト角であり、αは約０．７５から約１．２５である。
【００１５】
この発明の他の側面は、少なくとも３本のクラブを含み、クラブがアドレス位置にあるときの地面に対するクラブヘッドの重心（ＣＧｙ）が
ＣＧｙ＝α×（０．５×ＬＡ＋１６．１４）
に従うアイアン型ゴルフクラブのセットに向けられている。ただし、ＬＡは「度」で測定されたロフト角であり、αは約０．７５から約１．２２である。
【００１６】
この発明の他の側面は、少なくとも３本のクラブを含み、クラブヘッド打撃フェースの重心を通る水平軸の回りのクラブヘッドの慣性モーメントが
Ｉｘｘ＝α×（０．７５×ＬＡ＋２９．５６）
に従うアイアン型ゴルフクラブのセットに向けられている。ただし、ＬＡは「度」で測定されたロフト角であり、αは約０．８から約１．２である。
【００１７】
この発明の他の側面は、少なくとも３本のクラブを含み、クラブヘッド打撃フェースの重心を通る垂直軸の回りのクラブヘッドの慣性モーメントが
Ｉｙｙ＝α×（０．９×ＬＡｄｅｇ＋１９０．４８）
に従うアイアン型ゴルフクラブのセットに向けられている。ただし、ＬＡは「度」で測定されたロフト角であり、αは約０．８から約１．２である。
【００１８】
この発明の他の側面は、少なくとも３本のクラブを含み、シャフト軸の回りのクラブヘッドの慣性モーメントが
Ｉｓａ＝α×（３．８７×ＬＡ＋３８３．８８）
に従うアイアン型ゴルフクラブのセットに向けられている。ただし、ＬＡは「度」で測定されたロフト角であり、αは約０．８から約１．２である。
【００１９】
この発明の一側面によれば、αは、設計許容誤差および決定係数を含むファクターとして定義される。
【発明を実施するための最良の形態】
【００２０】
添付図面に示され以下詳細に説明されるように、この発明は、クラブが、キャビティバック型のクラブ、マッスルバック型のクラブ、および、好ましくは、キャビティ・マッスル中間型のクラブからなる混合セットであるアイアン型のゴルフクラブのセットに向けられている。説明の便宜上、図１は参考アイアン形クラブヘッド１０を示し、この発明の種々の設計パラメータが定義される。クラブの関するこれら設計パラメータはセットを通じてロングアイアンからショートアイアンへと所定の態様で反かするように選定されている。クラブヘッド１０はシャフト（図示しない）に当業界で知られているにんいに手法で結合される。
【００２１】
クラブヘッド１０は、一般に、ボディー１２およびホーゼル１４を有する。ボディー１２は打撃フェース１６および背面フェース２０を有する。ボディー１２はホーゼル１４に角度をもって結合され、ロフト角３０がホーゼル中心線１８および打撃フェース１６の間に定義される、さらに、ボディー１２およびホーゼル１４の間の相対的な構造により、打撃フェースのベースの先端２２とホーゼルの最前点１５の間にオフセット３４が存在する。
【００２２】
ゴルフクラブの典型的なセットでは、打撃フェース１６の面積、ボディー１２のヒール・トウ間長、ロフト角３０およびオフセット３４はセット内のクラブ間で変化する。例えば、通常の番手を用いた場合、２番または３番のロングアイアンでは、典型的には、シャフトが比較的長く、打撃フェース１６の面積が比較的大きく、ロフト角３０が比較的小さい。同様に、通常の番手を用いた場合、８番または９番のショートアイアンでは、典型的には、シャフトが比較的短く、打撃フェース１６の面積が比較的小さく、ロフト角３０が比較的大きい。この発明では、このようなパラメータは各クラブの用途に応じた性能を最大化するように具体的に選択されている。さらに、これらパラメータはセットを通じて予め定められた態様で変化する。
【００２３】
このようなパラメータの１つは背面フェース２０の構造である。典型的なゴルフクラブセットでは、背面フェースは、「キャビティバック」、すなわち、クラブヘッドの質量のかなりの部分が周辺３２の回りのバック側に配置されているもの、または、「マッスルバック」、すなわち、クラブの質量が比較的等分にボディー１２のヒール・トウ長に沿って配分されるもののいずれかを有する。キャビティバッククラブではスイートスポットが大きくなる、重心が低く、慣性が大きくなるという傾向がある。換言すると、キャビティバッククラブは丁度良い打撃を生みやすい。ロングアイアンでは、スイートスポットは正確に打撃するのが困難なことが多い。したがって、ロングアイアンではキャビティバック構造を採用することが好ましい。マッスルバッククラブでは比較的スイートスポットは小さく、重心が高く、シャフト軸１８回りの慣性が小さいという傾向がある。打撃が正確であれば、マッスルバッククラブは、スイートスポットの後方の固まり（すなわちマッスル）により、全体的な性能および作業性がよりすぐれたものであるが、スイートスポットが小さい分、平均的なゴルファーにとっては正確に打撃するのが困難である。ショートアイアンは平均的なゴルファーでも正確に打撃することは容易であるので、作業性がかけることがあり、ショートアイアンはマッスルバックであることが望ましい。
【００２４】
この発明の一側面によれば、背面フェース２０の構造を、ロングアイアンでキャビティバックが優勢でショートアイアンでマッスルバックが優勢に成るように徐々に変化させて、セットの性能の連続性を最大化させている。
【００２５】
図２〜図１９を参照すると、この発明のクラブセットを通じて変化する個々のクラブヘッドの１０の平面フェース２０の構造が示される。表１は、セットがロングアイアンからショートアイアンに移行する際の一例のフェース面積、一例のオフセット、一例のボディー長、および一例のロフト角の詳細を示す。
【表１】
2006289105.tif 000003
【００２６】
図２は、通常の番手における２番アイアン、すなわち最も長いアイアンのクラブヘッドを示す。ボディー１１２の背面フェース１２０は、キャビティ１３４の長さを横切って伸びるだけの小さな隆線１３６を具備するキャビティ１３４により特徴付けられる。背面フェース１２０の質量は周辺１３２に移動させられてキャビティバッククラブを形成する。そのため、キャビティバックデザインの属性がクラブヘッド１１０の性能を支配する。図３はクラブヘッド１１０のトウの図であり、約１９度の比較的小さなロフト角を容易に示す。さらに、図３は隆線１３６が周辺１３２を超えて伸びないことを示している。
【００２７】
図４は３番アイアンすなわちロングアイアンのクラブヘッド２１０を示している。ボディー２１２の背面フェース２２０も、背面フェース２２０の多くの質量を含む周辺２３２により包囲されているキャビティ２３４により特徴付けられる。周辺２３２は図２の２番アイアンの周辺１３２より広くなっている。換言すれば、キャビティ２３４は２番アイアンのキャビティ１３４より実効的に小さくなっている。隆線２３６は、上述した隆線１３６と類似のものであり、背面フェース２２０に含まれている。ただし、キャビティバックの性能属性は依然として支配的である。図５から理解されるように、ロフト角２３０は約２２度である、２番アイアンのロフト角より大きい。また、図５は隆線２３６が周辺２３２を超えて伸びないことを明瞭に示している。
【００２８】
図６は、４番アイアンすなわちミッドレンジアイアンのクラブヘッド３１０を示している。ボディー３１２の背面フェース３２０も、周辺３３２により包囲されているキャビティ３３４により特徴付けられる。周辺３３２は図４の３番アイアンの周辺２３２より広くなっている。換言すれば、キャビティ３３４は３番アイアンのキャビティ２３４より実効的に小さくなっている。隆線３３６は、上述した隆線１３６と類似のものであり、背面フェース３２０に含まれている。さらに、表１に示されるように、ボディー３１２のフェースの厚さは３番アイアンのボディー２１２のフェースの厚さより厚くなっている。この結果、キャビティ３３４は３番アイアンのキャビティ２３４より浅くなっており、この結果、キャビティ３３４の全体のキャビティ容積も小さくなっている。したがって、キャビティバックの性能特性が依然としてクラブヘッド３１０の振る舞いを支配するが、クラブヘッド３１０の全体性能にマッスルバック構造の属性が導入されている。図７から理解されるように、ロフト角３３０は約２５度であり、３番アイアンのロフト角２３０より大きい。また、図７は、隆線３３６が周辺３３２を越えないことを明瞭に示す。
【００２９】
図８は、５番アイアンすなわちミッドレンジアイアンのクラブヘッド４１０を示している。背面フェース４２０も、周辺４３２により包囲されているキャビティ３３４により特徴付けられる。ただし、背面フェース４２０は中間的な構造を有し、これは伝統的なキャビティバックおよび伝統的なマッスルバックの双方の側面を共有している。真のキャビティバック構造と異なって、ボディー４１２は２つの実質的に異なる厚さを伴う。頂部４３５は薄く、底部４３７は厚く、これらは遷移部４３６で結合されている。遷移部４３６はボディー４１２の全長さに渡って伸びており、これは図９の輪郭から明瞭に理解できる。換言すると、クラブヘッド４１０のような中間的なクラブヘッドは周辺４３２に遷移部４３６を有するものとして定義できる。したがって、キャビティバック設計およびマッスルバック設計の性能特性をともに有する。いずれの構造もクラブヘッド４１０の全体的な性能を支配しない。図９は、また、ロフト角４３０が約２８度であり、ロフト角３３０より大きいことを示す。
【００３０】
図１０は、６番アイアンすなわちミッドレンジアイアンのクラブヘッド５１０を示している。ボディー５１２の背面フェース５２０も図８に示す５番アイアンのそれと類似している。すなわち中間クラブである。比較的浅いキャビティ５３４が周辺５３２により輪郭付けられる。上側ボディー部５３５は、厚い下側ボディー部５３７に遷移部５３６を介して遷移し、遷移部５３６は周囲５３２上にある。変化は図１１の輪郭からも理解できる。図１１は、ロフト角５３０が約３２度であり、ロフト角４３０より大きいことも示す。
【００３１】
図１２は、７番アイアンすなわちミッドレンジアイアンのクラブヘッド６１０を示している。ボディー６１２の背面フェース６２０も図１０に示す６番アイアンのそれと類似している。すなわち中間クラブである。ただし、ここでは、キャビティ６３４は著しく浅く、周囲６３２はキャビティ６３４よりわずかに厚いだけである。クラブヘッド６１０の上側ボディー部６３５は、厚い下側ボディー部６３７に遷移部６３６を介して遷移し、遷移部６３６は周囲６３２上にある。厚さの変化は図１３のトウの輪郭からも理解できる。図１３は、ロフト角６３０が約３６度であり、ロフト角５３０より大きいことも示す。
【００３２】
図１４は８番アイアンすなわちショートアイアンのクラブヘッド７１０を示している。ボディー７１２の背面フェース７２０は伝統的なマッスルバック構造を具備する。換言すれば、周辺により規定されるキャビティがなく、その結果、スイートスポットが、上述のキャビティバックまたは中間的なクラブに比較して小さい。上側ボディー部７３５は下側ボディー部７３７より薄い。遷移部７３６が両部７３５、７３７を連結する。図１５に示すように、ロフト角７３０は約４０度であり、ロフト角６３０より大きい。
【００３３】
図１６は９番アイアンすなわちショートアイアンのクラブヘッド８１０を示している。ボディー８１２の背面フェース８２０は、図１４に示す８番アイアンと同じく、伝統的なマッスルバック構造を具備する。ただし、背面フェース８２０において、薄い上側ボディー部８３５は８番アイアンの上側ボディー部７３５より短くなっている。同様に、厚い下側ボディー部８３７がボディー８１２においてより支配的になっている。図１７に示すように、ロフト角８３０は約４４度であり、ロフト角７３０より大きい。
【００３４】
図１８はピッチングウェッジすなわち最も短いアイアンのクラブヘッド９１０を示している。ボディー９１２の背面フェース９２０も、図１６に示す９番アイアンと同じく、伝統的なマッスルバック構造を具備し、薄い上側ボディー部９３５が遷移部９３６を介して厚い下側ボディー部９３７へ移行する。図９に最もよく示されるように、ピッチングウェッジの薄い上側ボディー部８３５は９番アイアンの上側ボディー部７３５よりもさらに短くなっている。図１９に示すように、ロフト角９３０は約４８度であり、ロフト角８３０より大きい。
【００３５】
セット中のロングアイアンのキャビティバックからミッッドレンジアイアンの中間的なキャビティ・マッスルバックを介してショートアイアンの純粋なマッスルバックへの系統的な移行により、全体としてのセットのより滑らかな性能連続性が実現される。ロングアイアンはキャビティバック設計により正確な打撃を容易に実現し、ショートアイアンはマッスルバック設計により性能が改善される。当業界で知られているように、重心が打撃フェースの幾何学中心より下側で、かつ後方であるときに、クラブはゴルフボールをより高い軌跡で打ち上げ、飛距離をより長くする。また、表２は、表１に示される一例のセットパラメータの系統的な移行に伴って、ボディーの重心が一例としてどのように系統的に増加するかを示している。
【表２】
2006289105.tif 000004
【００３６】
重心は、クラブヘッドをアドレス位置に配置したときに地面から測定され、アドレス位置は、ゴルファーがスイングを開始する前にクラブのソールを地面に接して当該クラブを配置する位置である。当業者が理解するように、重心の位置はセットを通じて他の手段により変更でき、例えば、本出願人の出願に係る２００４年８月８日出願の米国特許１０／９１１４２２に開示されるような高密度インサートにより変更でき、また、打撃フェース１６の材料の厚さを米国特許第６６０５００７号に説明されるように変えて、変更できる。これらの開示内容は参照してここに組みこむ。
【００３７】
ゴルフクラブの回転慣性モーメント（「慣性」）は周知であり、米国特許第４４２０１５６号を含む多くの文献において十分に検討されており、参照してここに組みこむ。慣性が小さすぎると、中心からはずれた打撃により過剰に回転しがちである。慣性が大きくなると、その分、回転質量が大きくなり、中心から外れた打撃に起因する回転が小さくなり、この結果、中心から外れた打撃でも、より多くは意図して経路の近くに飛行させることができる。慣性は、クラブヘッドの重心を通る垂直軸の回り（Ｉｙｙ）、およびクラブヘッドの重心（ＣＧ）を通る水平軸の回り（Ｉｘｘ）で測定される。クラブヘッドがＣＧを通るｙ軸の回りを回転する傾向は、ｙ軸から外れた打撃に起因する回転の量を示す。同様に、クラブヘッドがＣＧを通るｘ軸の回りを回転する傾向は、ｘ軸から外れた打撃に起因する回転の量を示す。最も中心から外れた打撃は、ｘ軸およびｙ軸の双方の回りを回転させがちである。ＩｘｘおよびＩｙｙが大きいと、回転傾向が少なくなり、中心から外れた打撃をより許容することになる。
【００３８】
慣性はまたシャフト軸（Ｉｓａ）の回りでも測定される。まず、クラブのフェースをアドレス位置にセットし、つぎに、フェースをまっすぐにし、ロフト角およびライ角をセットする。この後、測定する。ゴルフボールがヒットすると、どのようなものでも、クラブヘッドをシャフト軸の回りで回転させがちである。中心からトウへ外れている打撃では、シャフト軸の回りの回転を最も起こしやすく、中心からヒールへ外れている打撃では、最も起こしにくい。Ｉｓａが大きいと回転傾向が小さくなり、打撃フェースを制御しやすくなる。
【００３９】
クラブヘッド１１０〜９１０は当業界で知られている任意の材料から、当業界で知られている任意の手法で製造できる。ただし、好ましくは、クラブヘッド１１０はステンレス鋼またはクロムメッキの炭素綱から鍛造により製造される。このような製造手法または他の製造手法の詳細な検討は、奔出願人の出願に係る２００３年８月１３日出願の米国特許出願１０／５４０５３７に見いだすことができ、その開示内容は参照して個々に組み込む。
【００４０】
表１を再度参照する。図２０、２１は、一例のパラメータがセットを通じてロングアイアンからショートアイアンへとどのように系統的に変化させてセットからの性能を最大化させるかをグラフィックに示す。表１の他のパラメータおよび表２のパラメータもグラフィカルに示すことができる。
【００４１】
多くの典型的なセットと同様に、ロフト角３０は、セットがロングアイアン（２、３、４）からショートアイアン（８、９、ＰＷ）に移行するに従い、大きくなる。ロングアイアンでは、ロフト角３０は線形に変化し、約３度の増分である。同様に、ショートアイアンでは、ロフト角は線形に変化し、約４度の増分である。ロフト角３０の他の変化もこの発明の範囲に含まれ、ロフト角３０の選択は種々の他の設計要素、例えば材料や美観の選択により変化する。
【００４２】
図２０は、ロフト角３０が増加するとオフセット３４が減少することを示す。ここでロフト角３０はグラフでは度およびラジアンの双方で示されている。換言すると、オフセット３４は、セットがロングアイアンからショートアイアンへと進むと、曲線Ａに従って減少する。この曲線は式を用いて表現できる。最も適合する多項式、曲線Ｂが、好ましくは、図２０のデータの曲線を反映するものとして採用される。この場合、オフセットはロフト角に応じて一般的に回帰により取得される以下の式に従って変化する。
Ｏ＝０．２３２７×ｅ−０．０２３６ＬＡｄｅｇ      （式１）
ここでＯはインチ表示のオフセット、ＬＡｄｅｇは度で表示されるロフト角である。この式の決定係数（Ｒ２）は約０．９９０３である。決定係数は、回帰がどの程度データにフィットするかを決定するのに広く採用される統計値である。この係数は、パーセンテージまたは等価小数で表され、データが回帰により表されるパーセンテージを示唆する。
【００４３】
さらに、線形の式も採用できる。データおよび標準的な回帰すなわち最小二乗法を用いた最も適合する直線によると、オフセットはロフト角に応じて一般的につぎの式に従って変化する。
Ｏ＝−０．００２５×ＬＡ＋０．２        （式２）
ここで、Ｏはインチ表示のオフセット、ＬＡｄｅｇは度で表示されるロフト角である。式２のＲ２は約０．９９９９である。ロフト角はラジアン（ＬＡｒａｄ）で測定されても良いが、そのようにすると式はつぎのように若干異なる。
Ｏ＝−０．１３×ＬＡｒａｄ＋０．１９        （式３）
【００４４】
式３のＲ２は約０．９９０１である。したがって、一例のセットのクラブは、約＋−１０％の設計許容誤差内で式１、２、または３の１つに適合すべきである。設計許容誤差は美観および他の設計基準が占めることを意味する。例えば、製造会社の設計仕様で２番アイアンのロフト角が典型的には２０度であると、式２を用いて計算されたオフセットは、約０．１５インチとＲ２に起因する＋−０．０２インチと、設計許容誤差に起因する、付加的な＋−０．０１５とで表される。これら式を利用し許容誤差を説明する他の方法は、回帰された式の結果を、Ｒ２および設計許容誤差を考慮に入れたファクタαを乗算することである。例えば式２はアルファによりつぎのようになる。
Ｏ＝α×（−０．００２５×ＬＡ＋０．２）      （式２α）
ここでαは約０．８９から約１．１１の範囲であり、これは約０．９９９９のＲ２および約＋−１０％の設計許容誤差に起因する。このセットの残りのクラブがこの例においてこの発明にほぼ従って変化するのであれば、このセット中の他のクラブのオフセットも許容誤差内でこの式に適合しなければならない。
【００４５】
図２１はロフト角３０が増加するとフェース面積が曲線Ｃに従って増加することを示す。ここでロフト角３０はグラフでは度およびラジアンの双方で示されている。再び、表１に示されるデータおよび標準的な回帰すなわち最少二乗方を用いて、線分、すなわち曲線Ｄを最適に適合化すると、フェース面積は一般的に次の式に従って変化する。
ＦＡ＝０．０１×ＬＡｄｅｇ＋４．６６        （式４）
ここで、ＦＡは平方インチ表示のフェース面積である。式４のＲ２は約０．９９７４である。ロフト角はラジアンで測定されても良いが、そのようにすると式はつぎのように若干異なる。
ＦＡ＝−０．６１×ＬＡｒａｄ＋４．６９        （式５）
【００４６】
式５のＲ２は約０．９９９９である。したがって、一例のセットのクラブは、好ましい設計許容誤差内で、ただし、約＋−１０％で式４または５の１つに適合すべきである。例えば、製造会社の設計仕様で２番アイアンのロフト角が典型的には２０度であると、式５を用いて計算されたフェース面積は、４．９平方インチとＲ２に起因する＋−０．１平方インチと、設計許容誤差に起因する、付加的な＋−０．７３５平方インチとで表される。１実施例ではこれらの式のαファクタは約０．９８から約１．０２であり、好ましくは１である。
【００４７】
図２２は曲線Ｅにより他のパラメータ、トップライン幅を示し、これはセットを通じてロフト角に応じて系統的に変化する。上述と同様の方法論を用いて、このデータに最も適合する線分すなわち曲線Ｆはつぎのとおりである。
ＴＬＷ＝−０．００２３×ＬＡｄｅｇ＋０．３      （式６）
ここでＴＬＷはインチ表示のトップライン幅である。式６のＲ２は約０．９９９９であり、設計許容誤差は好ましくは約＋−２０％である。１実施例ではこれらの式のαファクタは約０．７５から約１．２５であり、好ましくは１である。
【００４８】
図２３は曲線Ｇにより他のパラメータ、ソール幅を示し、これはクラブセットを通じてロフト角に応じて変化する。上述と同様の方法論を用いて、このデータに最も適合する線分すなわち曲線Ｈはつぎのとおりである。
【００４９】
ＳＷ＝−０．００４４×ＬＡｄｅｇ＋０．７９      （式７）
ここでＳＷはインチ表示のソール幅である。式７のＲ２は約０．９９９９であり、設計許容誤差は好ましくは約＋−２０％である。１実施例ではこれらの式のαファクタは約０．７５から約１．２５であり、好ましくは１である。
【００５０】
さらに、セットを通じてのパラメータの系統的な変化をセットの一部のみに拡張しても良い。例えば、表１に示され、また図２、４、６、８、１０および１２に示されるように、キャビティ（キャビティ２３４、３３４、４３４、５３４、および６３４のそれぞれ）の容積はセットを通じて系統的に減少する。ただし、ショートアイアンは実質的にキャビティを伴わないマッスルバッククラブである。したがって、以下の式がロフト角に従って変化するキャビティ容積について標準的な回帰を採用し、表１に列挙された一例のセットのデータを利用して導出され、この式は好ましくはセット中のクラブ２−７のみに適用される。
ＣＶ＝−０．２９×ＬＡｄｅｇ＋１３．８５        （式８）
ここでＣＶは立方センチメートルで表されたキャビティの容積であり、ＬＡは度で表示されたロフト角である。式８のＲ２は約０．９８７２であり、設計許容誤差は好ましくは約＋−２０％である。ロフト角がラジアンで測定される場合には、式は若干異なり下記のとおりである。
【００５１】
ＣＶ＝−１６．８８×ＬＡｒａｄ＋１３．８５        （式９）
式９のＲ２は約０．９９７３である。１実施例ではこれらの式のαファクタは約０．７５から約１．２５であり、好ましくは１である。系統的に変化するパラメータの式をセットの一部にのみ適用することは、他の設計パラメータにも拡張可能であり、キャビティ容積にのみに限定されないことは、当業者には明らかである。
【００５２】
任意の所望のパラメータについて同様の式を生成できる。さらに、重心や慣性モーメントのようなクラブの特性についても式を生成できる。これらのパラメータを用いて一旦曲線が生成されると、他の設計特性、例えばフェース面積およびソール幅をこのカーブから外挿できる。換言すれば、例えば、１つのセット中のクラブヘッドのフェース面積が式４または式５に記述される曲線にフィットしないかもしれないが、そのクラブの重心は、設計パラメータの全体的な効果により、以下に説明するように適切な曲線にフィットする。例えば、図には示さないが、以下の式が、ロフト角に応じて変化する、地面から測定した重心の位置について標準的な回帰を採用して表１に示すような一例のセットのデータを利用して導かれる。
ＣＧｙ＝０．０５×ＬＡｄｅｇ＋１６．１４        （式１０）
ここでＣＧｙは、クラブヘッドをアドレス位置に置いたときに地面からインチで測定される重心の位置である。式１０のＲ２は約１である。ロフト角がラジアンでも測定でき、この場合式は若干異なり下記のとおりである。
ＣＧｙ＝３．０４×ＬＡｒａｄ＋１６．１          （式１１）
【００５３】
式１１のＲ２は約０．９９９９である。そのため、一例のセットのクラブは式１０または式１１の１つに、好ましい設計許容誤差である約＋−２０％の範囲で、フィットしなければならない。１実施例では、これらの式についてのαファクタは約０．７５から約１．２５であり、好ましくは１である。適用上、製造会社の設計仕様で２番アイアンのロフト角の２０度が典型である場合には、式１０を用いて計算された２番アイアンの重心は約１７．０４インチと、Ｒ２に起因する＋−０．３４インチと、設計許容誤差に起因する付加的な＋−３．４とで表される。
【００５４】
同様な式が表２に示される慣性モーメントについても以下のように導出される。
Ｉｘｘ＝０．７５ＬＡｄｅｇ＋２９．５６        （式１２）
Ｉｘｘ＝４３．０２ＬＡｒａｄ＋２９．５６      （式１３）
ここで、Ｉｘｘはフェースの重心を通る水平軸の回りの回転モーメントである。式１２についてはＲ２は約０．９９９９であり、式１３については約０．９９５５であり、両式の好ましい設計許容誤差は約＋−１５％である。１実施例ではこれらの式のαファクタは約０．８から約１．２であり、好ましくは１である。
Ｉｙｙ＝０．９×ＬＡｄｅｇ＋１９０．４８        （式１４）
Ｉｙｙ＝５１．６９×ＬＡｒａｄ＋１９０．４８      （式１５）
ここで、Ｉｙｙはフェースの重心を通る垂直軸の回りの回転モーメントである。式１４についてはＲ２は約１であり、式１５については約０．９９９８であり、両式の好ましい設計許容誤差は約＋−１５％である。１実施例ではこれらの式のαファクタは約０．８から約１．２であり、好ましくは１である。
Ｉｓａ＝３．８７×ＬＡｄｅｇ＋３８３．８８        （式１６）
Ｉｓａ＝２２１．４６×ＬＡｒａｄ＋３８３．８８      （式１７）
ここで、Ｉｓａはシャフト軸の回りの回転モーメントである。式１６についてはＲ２は約１であり、式１７については約０．９９９７であり、両式の好ましい設計許容誤差は約＋−１５％である。１実施例ではこれらの式のαファクタは約０．８から約１．２であり、好ましくは１である。
【００５５】
他のパラメータもセットを通して系統的に変化させてもよい。例えば、トウ高さ、トップ角、ソール厚さ、材料合金および／または硬度、インサートタイプおよび硬度、フェース厚さおよび／または材料、および反発係数（ｃｏｅｆｆｉｃｉｅｎｔ  ｏｆ  ｒｅｓｔｉｔｕｔｉｏｎ）である。溝の幾何を変更してスピン性能を変化させることができ、これは米国特許第５５９１０９２号に検討されており、その開示内容を参照してここに組み入れる。また、重心の深さをセットを通じて変更しても良い。なぜならば重心の深さにより飛行特性が影響を受けるからであり、これについては米国特許第６２９０６０７号に開示されており、その開示内容を参照してここに組み入れる。さらに、図２０〜２３に示される曲線および式は例に過ぎず、セットを通じた性能の連続性のために所望の変更を伴っても良い。換言すれば、ここで導出された具体的な式を変更または修正して、例えばオフセットおよびロフト角の間の関係を調整して設計パラメータがここで記述したのと逆の態様で変化するようにしてもよい。ここで検討した設計許容誤差は好みであり、種々の材料および美観、その他に起因するものである。
【００５６】
ここに開示した発明の説明的な実施例が上述の目的を達成ことは明らかであるが、当業者が種々の変形や他の実施例を導き出せることはもちろんである。したがって、添付の特許請求の範囲がそのような変形や実施例をカバーすることを意図されており、それらがこの発明の精神に含まれることを理解されたい。
【図面の簡単な説明】
【００５７】
【図１】クラブヘッドのトウの図である。
【図２】この発明に従うクラブセットの２番アイアンの背面フェースの平面図である。
【図３】図２のクラブのトウの図である。
【図４】この発明に従うクラブセットの３番アイアンの背面フェースの平面図である。
【図５】図４のクラブのトウの図である。
【図６】この発明に従うクラブセットの４番アイアンの背面フェースの平面図である。
【図７】図６のクラブのトウの図である。
【図８】この発明に従うクラブセットの５番アイアンの背面フェースの平面図である。
【図９】図８のクラブのトウの図である。
【図１０】この発明に従うクラブセットの６番アイアンの背面フェースの平面図である。
【図１１】図１０のクラブヘッドのトウの図である。
【図１２】この発明に従うクラブセットの７番アイアンの背面フェースの平面図である。
【図１３】図１２のクラブのトウの図である。
【図１４】この発明に従うクラブセットの８番アイアンの背面フェースの平面図である。
【図１５】図１４のクラブのトウの図である。
【図１６】この発明に従うクラブセットの９番アイアンの背面フェースの平面図である。
【図１７】図１６のクラブのトウの図である。
【図１８】この発明に従うクラブセットのピッチングウェッジの背面フェースの平面図である。
【図１９】図１８のクラブのトウの図である。
【図２０】この発明に従うクラブセットのオフセット対ロフト角の関係を示すグラフである。
【図２１】この発明に従うクラブセットのフェース面積対ロフト角の関係を示すグラフである。
【図２２】この発明に従うクラブセットのトップライン幅対ロフト角の関係を示すグラフである。
【図２３】この発明に従うクラブセットのソール幅対ロフト角の関係を示すグラフである。
【符号の説明】
【００５８】
１０    クラブヘッド
１２    ボディー
１４    ホーゼル
１６    打撃フェース
１８    ホーゼル中心線
１８    シャフト軸
２０    背面フェース
２０    平面フェース
２２    先端
３０    ロフト角
３２    周辺
３４    オフセット
１１０  クラブヘッド
１１２    ボディー
１２０    背面フェース
１３２    周辺
１３４    キャビティ
１３６    隆線
５１０    クラブヘッド
５１２    ボディー
５２０    背面フェース
５３０    ロフト角
５３２    周辺
５３２    周囲
５３４    キャビティ
５３５    上側ボディー部
５３６    遷移部
５３７    下側ボディー部
【図１】
2006289105.tif 000005
【図２】
2006289105.tif 000006
【図３】
2006289105.tif 000007
【図４】
2006289105.tif 000008
【図５】
2006289105.tif 000009
【図６】
2006289105.tif 000010
【図７】
2006289105.tif 000011
【図８】
2006289105.tif 000012
【図９】
2006289105.tif 000013
【図１０】
2006289105.tif 000014
【図１１】
2006289105.tif 000015
【図１２】
2006289105.tif 000016
【図１３】
2006289105.tif 000017
【図１４】
2006289105.tif 000018
【図１５】
2006289105.tif 000019
【図１６】
2006289105.tif 000020
【図１７】
2006289105.tif 000021
【図１８】
2006289105.tif 000022
【図１９】
2006289105.tif 000023
【図２０】
2006289105.tif 000024
【図２１】
2006289105.tif 000025
【図２２】
2006289105.tif 000026
【図２３】
2006289105.tif 000027
【手続補正書】
【提出日】平成18年6月14日(2006.6.14)
【手続補正１】
【補正対象書類名】特許請求の範囲
【補正対象項目名】全文
【補正方法】変更
【補正の内容】
【特許請求の範囲】
【請求項１】
少なくとも１本のキャビティバッククラブと、
少なくとも１本のマッスルバッククラブとを有し、
クラブが鍛造ステンレス綱から製造され、かつ、少なくとも１つのクラブ設計パラメータがセットを通じて系統的に変化することを特徴とするアイアン型ゴルフクラブのセット。
【請求項２】
少なくとも１本の中間クラブを有し、中間クラブのヘッドは、当該中間クラブのヘッドの背面フェース設けられたキャビティと、上記キャビティからトウの周辺へ伸びる隆線とを有する請求項１記載のクラブのセット。
【請求項３】
上記クラブは、当該セット中のロングアイアンのキャビティバッククラブから上記セット中のショートアイアンのマッスルバッククラブへと系統的に移行する請求項１記載のクラブのセット。
【請求項４】
上記クラブ設計パラメータはロフト角に応じて変化する請求項２記載のクラブのセット。
【請求項５】
上記クラブ設計パラメータは、オフセット、フェース面積、トップライン幅、ソール幅、地面からの重心、重心の深さ、反発係数、クラブヘッド材料、クラブヘッドフェース厚さ、溝形状、キャビティ容積、打撃フェースの重心を通る水平軸周りのクラブヘッドの水平慣性モーメント、打撃フェースの重心を通る垂直軸周りのクラブヘッドの垂直慣性モーメント、およびシャフト軸周りのクラブヘッドのシャフト慣性モーメントからなるグループから選択される請求項１記載のクラブのセット。
【請求項６】
少なくとも３本のクラブを有し、各クラブのオフセット（Ｏ）が
Ｏ＝α×０．２３２７×ｅ−０．０２３６ＬＡｄｅｇ
に従い、ＬＡは度で表示されたロフト角であり、αは約０．８９から約１．１１の範囲である請求項１記載のアイアン型ゴルフクラブのセット。
【請求項７】
少なくとも３本のクラブを有し、各クラブのオフセット（Ｏ）が
Ｏ＝α×（−０．００２５×ＬＡ＋０．２）
に従い、ＬＡは度で表示されたロフト角であり、αは約０．８９から約１．１１の範囲である請求項１記載のアイアン型ゴルフクラブのセット。
【請求項８】
少なくとも３本のクラブを有し、各クラブのフェース面積（ＦＡ）が
ＦＡ＝α×（０．１×ＬＡ＋４．７１）
に従い、ＬＡは度で表示されたロフト角であり、αは約０．８から約１．２の範囲である請求項１記載のアイアン型ゴルフクラブのセット。
【請求項９】
少なくとも３本のクラブを有し、クラブヘッドをアドレス位置に配置したときに地面から測定されたクラブヘッドの中心（ＣＧｙ）が
ＣＧｙ＝α×（０．５×ＬＡ＋１６．１４）
に従い、ＬＡは度で表示されたロフト角であり、αは約０．８から約１．２の範囲である請求項１記載のアイアン型ゴルフクラブのセット。
【請求項１０】
少なくとも３本のクラブを有し、クラブのトップライン幅（ＴＬＷ）が
ＴＬＷ＝α×（−０．００２３×ＬＡ＋０．３）
に従い、ＬＡは度で表示されたロフト角であり、αは約０．７５から約１．２５の範囲である請求項１記載のアイアン型ゴルフクラブのセット。
【請求項１１】
少なくとも３本のクラブを有し、クラブヘッドソール幅（ＳＷ）が
ＳＷ＝α×（−０．００４４×ＬＡ＋０．７９）
に従い、ＬＡは度で表示されたロフト角であり、αは約０．７５から約１．２５の範囲である請求項１記載のアイアン型ゴルフクラブのセット。
【請求項１２】
少なくとも３本のクラブを有し、クラブヘッドのキャビティの容積（ＣＶ）が
ＣＶ＝α×（−０．２９×ＬＡ＋１３．８５）
に従い、ＬＡは度で表示されたロフト角であり、αは約０．７５から約１．２５の範囲である請求項１記載のアイアン型ゴルフクラブのセット。
【請求項１３】
少なくとも３本のクラブを有し、クラブヘッド打撃フェースの重心を通る水平軸の回りのクラブヘッドの慣性モーメントが
Ｉｘｘ＝α×（０．７５×ＬＡ＋２９．５６）
に従い、ＬＡは度で表示されたロフト角であり、αは約０．８から約１．２の範囲である請求項１記載のアイアン型ゴルフクラブのセット。
【請求項１４】
少なくとも３本のクラブを有し、クラブヘッド打撃フェースの重心を通る垂直軸の回りのクラブヘッドの慣性モーメントが
Ｉｙｙ＝α×（０．９×ＬＡｄｅｇ＋１９０．４８）
に従い、ＬＡは度で表示されたロフト角であり、αは約０．８から約１．２の範囲である請求項１記載のアイアン型ゴルフクラブのセット。
【請求項１５】
少なくとも３本のクラブを有し、シャフト軸の回りのクラブヘッドの慣性モーメントが
Ｉｓａ＝α×（３．８７×ＬＡ＋３８３．８８）
に従い、ＬＡは度で表示されたロフト角であり、αは約０．８から約１．２の範囲である請求項１記載のアイアン型ゴルフクラブのセット。
【請求項１６】
αは約１である請求項６〜１５のいずれかに記載のクラブのセット。
【外国語明細書】
2006289105.tif 000028
2006289105.tif 000029
2006289105.tif 000030
2006289105.tif 000031
2006289105.tif 000032
2006289105.tif 000033
2006289105.tif 000034
2006289105.tif 000035
2006289105.tif 000036
2006289105.tif 000037
2006289105.tif 000038
2006289105.tif 000039
2006289105.tif 000040
2006289105.tif 000041
2006289105.tif 000042
2006289105.tif 000043
2006289105.tif 000044
2006289105.tif 000045
2006289105.tif 000046
2006289105.tif 000047
2006289105.tif 000048
１．Ａｂｓｔｒａｃｔ
2006289105.tif 000049
２．Ｒｅｐｒｅｓｅｎｔａｔｉｖｅ  Ｄｒａｗｉｎｇ
図２
2006289105.tif 000050
2006289105.tif 000051
2006289105.tif 000052
2006289105.tif 000053
2006289105.tif 000054
2006289105.tif 000055
2006289105.tif 000056
2006289105.tif 000057
2006289105.tif 000058
2006289105.tif 000059
2006289105.tif 000060
2006289105.tif 000061